(57)【要約】【課題】お湯の湯気の動きや給湯の進行を表すアニメーションをよりリアルに行うことが可能な給湯機リモコンを提供する。【解決手段】残像表示機能付き表示手段１０１を用いて何枚かの画像を連続的に表示すると、残像が残ることによる効果で湯気の動きをリアルに表現することができ、比較的安価な構成でリアルなアニメーション表示を行うことが可能な給湯機リモコン。【選択図】  図１
2004232990.tif 000002
【特許請求の範囲】
【請求項１】
設定された温度や水位に合わせて湯を供給する給湯機のリモコンであって、残像表示機能を持つ残像表示機能付き表示手段と、操作を受け付ける操作ボタンと、前記残像表示機能付き表示手段および前記操作ボタンにより使用者の操作を受け取り必要な表示を行う制御手段で構成されたことを特徴とする給湯機リモコン。
【請求項２】
残像表示機能付き表示手段に表示された操作ボタンの操作を受け取るためのタッチパネルを備え、前記操作ボタンと一緒に使用されることを特徴とする請求項１記載の給湯機リモコン。
【請求項３】
給湯機に接続された風呂と、前記風呂の湯量を検出する風呂湯量検出手段を備え、前記風呂湯量検出手段の情報に基づき湯量表示アニメーションを行うことを特徴とする請求項１〜２のいずれか１項に記載の給湯機リモコン。
【請求項４】
インターネット接続手段と、データ保存手段を備え、リモコン表示画像やアニメーションを前記インターネット接続手段を用いてインターネットからダウンロードして前記データ保存手段に保存し、前記データ保存手段に保存されたデータを用いて表示を変更することができることを特徴とする請求項１〜３のいずれか１項に記載の給湯機リモコン。
【請求項５】
請求項１〜４のいずれか１項に記載の給湯機リモコンが有する機能の一部または全部をコンピュータにより実行するためのプログラム。
【請求項６】
請求項５に記載のプログラムを記録したコンピュータ読みとり可能な記録媒体。
【発明の詳細な説明】
【０００１】
【発明の属する技術分野】
本発明は、給湯機の動作表示機能を持つリモコンに関するものである。
【０００２】
【従来の技術】
従来から使用されている給湯機リモコンの一例（例えば、特許文献１参照）を図８を用いて説明する。図８において、８０１は液晶表示手段、８０２は操作ボタン、８０３は制御手段、８０４は給湯機、８０５は風呂である。使用者が操作ボタン８０２により給湯指令を出すと、制御手段８０３は給湯機８０４へ給湯指令を伝達する。給湯機８０４は、指令に基づき風呂８０５へ給湯を行う。この湯張りが完了すると、制御手段８０３は、図９に示すように液晶表示手段に特定パターンの絵を所定時間毎に切り換えて給湯が行われていることを示す表示を行う。
【０００３】
【特許文献１】
特開平５−２８８４０２号公報（４頁、第４図）
【０００４】
【発明が解決しようとする課題】
前記従来の給湯機リモコンは次のような課題を有している。給湯機は風呂以外にも台所や洗面所への給湯やお湯による床暖房機能や浴室の暖房・乾燥機能などの様々な機能を持つ高機能な設備である。よって、相応の高級感を持った外観や表示が求められている。前記従来の方法では、お湯の湯気の動きや給湯の進行を表すアニメーションをよりリアルに行うことはできないという課題があった。またお湯の湯気の動きを表現するには高度な機能を持つマイコンが必要であるという課題があった。
【０００５】
本発明は、前記従来の課題を解決するもので、残像表示機能付き表示手段を用いることで、比較的安価な構成でリアルなアニメーション表示を行うことが可能な給湯機リモコンを提供することを第１の目的とする。
【０００６】
【課題を解決するための手段】
前記従来の課題を解決するために、本発明の給湯機リモコンは、残像表示機能付き表示手段を用いることで、比較的安価な構成でリアルなアニメーション表示を行うことが可能な給湯機リモコンとしたものである。
【０００７】
【発明の実施の形態】
請求項１に記載した発明は、設定された温度や水位に合わせて湯を供給する給湯機のリモコンであって、残像表示機能を持つ残像表示機能付き表示手段と、操作を受け付ける操作ボタンと、前記残像表示機能付き表示手段および前記操作ボタンにより使用者の操作を受け取り必要な表示を行う制御手段で構成されたことを特徴とする給湯機リモコンとすることにより、残像表示機能付き表示手段を用いて何枚かの画像を連続的に表示すると、残像が残ることによる効果で湯気の動きをリアルに表現することができ、比較的安価な構成でリアルなアニメーション表示を行うことができる。
【０００８】
請求項２に記載した発明は、前記残像表示機能付き表示手段に表示された操作ボタンの操作を受け取るためのタッチパネルを備え、前記操作ボタンと一緒に使用される給湯機リモコンとすることにより、タッチパネルを用いることで、多彩な操作ボタンを表示し、より高級感のある操作環境を備えると同時に、必要な機能については直接操作可能とすることができる。
【０００９】
請求項３に記載した発明は、給湯機に接続された風呂と、前記風呂の湯量を検出する風呂湯量検出手段を備え、前記風呂湯量検出手段の情報に基づき湯量表示アニメーションを行うことを特徴とする給湯機リモコンとすることにより、風呂湯量検出手段の情報を基に、風呂給湯進行状況をアニメーション表示することで、より状態を分かり易く使用者に伝えることができる。
【００１０】
請求項４に記載した発明は、インターネット接続手段と、データ保存手段を備え、リモコン表示画像やアニメーションをインターネットからダウンロードし、表示を変更することができる給湯機リモコンとすることにより、使用者の好みを反映し、満足度をより向上することができる。
【００１１】
請求項５に記載した発明は、給湯機リモコンが有する機能の一部または全部をコンピュータにより実行するためのプログラムとしている。
【００１２】
請求項６に記載した発明は、プログラムおよびデータの少なくともいずれか一方を含む記録媒体としている。
【００１３】
そして、プログラムであるので家庭にあるコンピュータ等などを用いて本発明の給湯機リモコンの一部あるいは全てを容易に実現することができる。また記録媒体に記録したり通信回線を用いてプログラムを配信したりすることでプログラムの配布が簡単にできる。
【００１４】
【実施例】
（実施例１）
図１は、本発明の第一の実施例における給湯機リモコンの動作時のブロック図を示すものである。図１において、１０１は残像表示機能付き表示手段、１０２は操作ボタン、１０３は制御手段、１０４は給湯機、１０５は風呂である。なお、残像表示機能付き表示手段１０１にはＳＴＮ液晶またはＤＳＴＮ液晶を用い、制御手段１０３にはマイクロコンピュータを用いることで、この構成を容易に実現できる。
【００１５】
以下、本実施例の動作について説明する。使用者が操作ボタン１０２により風呂１０５への給湯指令を出すと、制御手段１０３は給湯機１０４へ給湯指令を伝達する。給湯機１０４は、指令に基づき設定された湯温・湯量となるまで風呂１０５への給湯を行う。
【００１６】
設定された湯温・湯量となり湯張りが終了すると、制御手段１０３は、残像表示機能付き表示手段１０１に、図２の（Ａ），（Ｂ），（Ｃ）に示す画像を所定時間毎（例えば０．５秒毎）に、順番に表示させる。残像表示機能付き表示手段１０１は、次の画像を表示する際に残像を残すため、あたかも湯気が立ち上っているかのような効果を得ることができる。この時に用いる画像は、図２にあるように、下から上に向かって段階的に色が薄くなるような画像を用いる方が、現実の湯気のような効果を、より強く出すことができる。
【００１７】
以上のように、残像表示機能付き表示手段１０１を用いて何枚かの画像を連続的に表示して残像を残すことによる効果で湯気の動きをリアルに表現することができ、比較的安価な構成でリアルなアニメーション表示を行うことが可能な給湯機リモコンを提供できる。
【００１８】
なお、ここでは湯気の表示を例として説明したが残像表示は限定しない。
【００１９】
（実施例２）
図３は、本発明の第２の実施例における給湯機リモコンの動作時のブロック図である。図３において、実施例１と異なる点は、使用者からの指令を残像表示機能付き表示手段１０１上に表示した操作ボタンを直接押すことで受け取ることが可能なタッチパネル３０１を設けた点である。
【００２０】
以下、本実施例の動作を説明する。給湯機リモコンの動作が開始されると、制御手段１０３は、残像表示機能付き表示手段１０１に指令を出し、図４に示すような給湯機１０４の操作に必要な操作ボタンの表示を行う。使用者は、タッチパネル３０１に表示された操作ボタンを操作し、風呂の湯張り開始や湯温設定などの操作を行う。
【００２１】
なお、次の理由からタッチパネル３０１には給湯機１０４の電源入／切ボタンと、画面入／切ボタンは表示せず、操作ボタン１０２として配置する。給湯機１０４の入／切ボタンは、残像表示機能付き表示手段１０１が不調で表示ができない時でも動作の入／切が可能とするために必要であり、画面の入／切ボタンは、夜に就寝する際、画面を切ったり、消費エネルギーを節約するために必要で、タッチパネル３０１上に表示すると元に戻せないためである。
【００２２】
以上のように、タッチパネル３０１を用いることで、多彩な操作ボタンを表示し、より高級感のある操作環境を備えると同時に、必要な機能については操作ボタン１０２で直接操作可能な給湯機リモコンを提供できる。
【００２３】
（実施例３）
図５は、本発明の第３の実施例における給湯機リモコンの動作時のブロック図である。図５において、第１の実施例と異なるところは、風呂１０５の湯量を検出する風呂湯量検出手段５０１を設けた点である。
【００２４】
以下、本実施例の動作を説明する。使用者の指示で風呂１０５への湯張りが開始されると、風呂湯量検出手段５０１は、風呂１０５内の湯量の検出を開始し、給湯機１０４からの問い合わせに対し湯量を通知する。制御手段１０３は定期的に（例えば３０秒毎）、給湯機１０４を通して風呂湯量検出手段５０１から風呂内の湯量を取得する。風呂湯量が所定量（例えば湯張り目標水位の１／５毎）に達すると、図６に示すように現在の湯量表示位置を１目盛りづつ上昇させる。この際、図６の（Ａ），（Ｂ）に示すような画像を所定時間毎（例えば０．５秒）毎に順番に表示させると、残像表示機能付き表示手段１０１の残像表示効果により湯の動きを滑らかに表示することが可能となると同時に、湯張りの進行を分かり易く表示することができる。
【００２５】
以上のように、風呂湯量検出手段５０１の情報を基に、風呂給湯進行状況をアニメーション表示することで、より状態が分かり易い給湯リモコンを提供できる。
【００２６】
なお、ここでは湯張りの進行の表示を例として説明したが残像表示は限定しない。
【００２７】
（実施例４）
図７は、本発明の第４の実施例における給湯機リモコンの動作時のブロック図である。図７において、第１の実施例と異なるところは、インターネット接続手段７０１と、データ保存手段７０２を設けた点である。インターネット接続手段７０１にはＬＡＮカードおよびＬＡＮカードドライバ、データ保存手段７０２には不揮発性メモリを用いることで、この構成を容易に実現できる。
【００２８】
以下、本実施例の動作を説明する。使用者からインターネット接続の指示が出されると、制御手段１０３はインターネット接続手段７０１を通してインターネットへ接続し、指示されたＵＲＬにあるＨＴＭＬファイルを、残像表示機能付き表示手段１０１に表示する。使用者から選択ファイルのダウンロード指示があると、制御手段１０３は、操作ボタンやアニメーション画像のダウンロードを行いデータ保存手段７０２内に保存する。以後、制御手段１０３が、給湯機リモコンの残像表示機能付き表示手段１０１への表示を行う際は、データ保存手段７０２に保存された全部または一部の画像を用いて、操作ボタン表示やアニメーション表示を行う。
【００２９】
以上のように、インターネット接続手段７０１と、データ保存手段７０２により、リモコン表示画像やアニメーションをインターネットからダウンロードし、表示内容を自由に変更可能とすることで、使用者の好みを反映し満足度をより向上することが可能な給湯機リモコンを提供できる。
【００３０】
【発明の効果】
以上のように、本発明の給湯機リモコンによれば、残像表示機能付き表示手段を用いて何枚かの画像を連続的に表示すると、残像が残ることによる効果で湯気等の動きをリアルに表現することができ、比較的安価な構成でリアルなアニメーション表示を行うことが可能な給湯機リモコンを提供することができる。
【図面の簡単な説明】
【図１】本発明の第１の実施例である給湯機リモコンの動作時の構成を示すブロック図
【図２】本発明の第１の実施例である給湯機リモコンの残像表示機能付き表示手段の表示内容を示す図
【図３】本発明の第２の実施例である給湯機リモコンの動作時の構成を示すブロック図
【図４】本発明の第２の実施例である給湯機リモコンの概要を示す図
【図５】本発明の第３の実施例である給湯機リモコンの動作時の構成を示すブロック図
【図６】本発明の第３の実施例である給湯機リモコンの残像表示機能付き表示手段の表示内容を示す図
【図７】本発明の第４の実施例である給湯機リモコンの動作時の構成を示すブロック図
【図８】従来例である給湯機リモコンの動作時の構成を示すブロック図
【図９】従来例である給湯機リモコンの残像表示機能付き表示手段の表示内容を示す図
【符号の説明】
１０１  残像表示機能付き表示手段
１０２  操作ボタン
１０３  制御手段
１０４  給湯機
１０５  風呂
３０１  タッチパネル
５０１  風呂湯量検出手段
７０１  インターネット接続手段
７０２  データ保存手段
８０１  液晶表示手段
８０２  操作ボタン
８０３  制御手段
８０４  給湯機
８０５  風呂
【図１】
2004232990.tif 000003
【図２】
2004232990.tif 000004
【図３】
2004232990.tif 000005
【図４】
2004232990.tif 000006
【図５】
2004232990.tif 000007
【図６】
2004232990.tif 000008
【図７】
2004232990.tif 000009
【図８】
2004232990.tif 000010
【図９】
2004232990.tif 000011